【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
集中型入力／出力コントローラを備えた装置であって、前記集中型入力／出力コントローラは、
物理的ターゲットストレージ媒体コントローラと、
物理的ネットワークインターフェイスコントローラと、
前記ストレージ媒体コントローラと前記ネットワークコントローラとの間のゲートウェイと、
を備え、
前記ゲートウェイは、前記ストレージ媒体コントローラと前記ネットワークインターフェイスコントローラとの間のブロックレベルのストレージトラフィック及びネットワークトラフィックのための直接接続を提供し、
前記物理的ターゲットストレージ媒体コントローラによって制御されるブロックデータのための前記物理的ネットワークインターフェイスコントローラのネットワークポートを介して受信されるブロックレベルの要求は、前記装置をホストするコンピュータシステムのＣＰＵ上で実行されるオペレーティングシステムによる介入、ハイパーバイザによる介入、又はその他のソフトウェアによる介入を伴わずに実行される、
ことを特徴とする装置。
【請求項２】
前記ストレージ媒体コントローラによって制御されるストレージ媒体を、該ストレージ媒体の位置に関わらずローカルに接続されたストレージとして提示する仮想ストレージインターフェイスをさらに備える、
請求項１に記載の装置。
【請求項３】
前記ストレージ媒体コントローラによって制御されるストレージ媒体を、該ストレージ媒体の数又はタイプに関わらずローカルに接続されたストレージとして提示する仮想ストレージインターフェイスをさらに備える、
請求項１に記載の装置。
【請求項４】
前記ストレージ媒体の動的プロビジョニングを容易にする仮想ストレージインターフェイスをさらに備え、前記物理ストレージは、局所的又は遠隔的に存在することができる、
請求項１に記載の装置。
【請求項５】
前記ストレージ媒体の動的プロビジョニングを容易にする仮想ネットワークインターフェイスをさらに備え、前記物理ストレージは、局所的又は遠隔的に存在することができる、
請求項１に記載の装置。
【請求項６】
前記装置は、ホストコンピュータシステム上のコントローラカードとして導入されるように適合される、
請求項１に記載の装置。
【請求項７】
前記ゲートウェイは、前記ホストコンピュータシステムのＣＰＵ上で実行される前記オペレーティングシステムによる介入、ハイパーバイザによる介入、又はその他のソフトウェアによる介入を伴わずに動作する、
請求項６に記載の装置。
【請求項８】
前記装置は、前記装置のストレージ機能及びネットワーク機能の少なくとも一方を提供するフィールドプログラマブルゲートアレイ、ＡＳＩＣ及びネットワークプロセッサのうちの少なくとも１つを備える、
請求項１に記載の装置。
【請求項９】
前記装置は、ネットワーク展開されたスイッチとして構成される、
請求項１に記載の装置。
【請求項１０】
ストレージ媒体命令を第１のプロトコルと少なくとも１つの他のプロトコルとの間で変換する、前記装置の機能コンポーネントをさらに含む、
請求項１に記載の装置。
【請求項１１】
前記集中型ストレージ及びネットワーキングコントローラによって処理される前記ストレージトラフィック及び前記ネットワークトラフィックの少なくとも一方に基づいて、前記ストレージ及びネットワーキングコントローラが展開されたデータ経路を有するネットワークに関連する少なくとも１つのサービス品質（ＱｏＳ）パラメータを維持するようにされた、
請求項１に記載の装置。
【請求項１２】
前記ＱｏＳパラメータは、帯域幅パラメータ、ネットワークレイテンシパラメータ、ＩＯ性能パラメータ、スループットパラメータ、ストレージタイプパラメータ及びストレージレイテンシパラメータからなる群から選択される、
請求項１１に記載の装置。
【請求項１３】
前記ＱｏＳは、前記集中型ストレージ及びネットワークコントローラを介してストレージによってサービスを受けるアプリケーション及びコンテナの少なくとも一方がホストコンピュータから別のコンピュータに移動する際に自動的に維持される、
請求項１１に記載の装置。
【請求項１４】
前記ＱｏＳは、前記集中型ストレージ及びネットワークコントローラを介してアプリケーション及びコンテナの少なくとも一方にサービスを提供する少なくとも１つのターゲットストレージ装置が第１の位置から少なくとも１つの第２の位置に移動する際に自動的に維持される、
請求項１１に記載の装置。
【請求項１５】
圧縮、保護レベル、ＲＡＩＤレベル、ストレージ媒体タイプ、グローバル重複排除、並びに目標復旧時点（ＲＰＯ）及び目標復旧時間（ＲＴＯ）の少なくとも一方を達成するためのスナップショット間隔からなる群から選択された１又は２以上のストレージ機能を提供する前記装置の機能コンポーネントを更に含む、
請求項１に記載の装置。
【請求項１６】
データへのアクセスの前記要求が、第２の装置をホストする遠隔コンピュータシステムから生じる、請求項１に記載の装置。
【請求項１７】
集中型入力／出力コントローラを備えた装置であって、前記集中型入力／出力コントローラは、
物理的ターゲットストレージ媒体コントローラと、
物理的ネットワークインターフェイスコントローラと、
前記ストレージ媒体コントローラと前記ネットワークコントローラとの間のゲートウェイと、
を備え、
前記ゲートウェイは、前記ストレージ媒体コントローラと前記ネットワークインターフェイスコントローラとの間のブロックレベルのストレージトラフィック及びネットワークトラフィックのための直接接続を提供し、
前記集中型ストレージ及びネットワーキングコントローラによって処理される前記ブロックレベルのストレージトラフィック及び前記ネットワークトラフィックの少なくとも一方に基づいて、前記ブロックレベルのストレージ及びネットワーキングコントローラが展開されたデータ経路を有するネットワークに関連する少なくとも１つのサービス品質（ＱｏＳ）パラメータを維持するための前記装置の機能コンポーネントを更に備える、
ことを特徴とする装置。
【請求項１８】
前記ＱｏＳパラメータは、帯域幅パラメータ、ネットワークレイテンシパラメータ、ＩＯ性能パラメータ、スループットパラメータ、ストレージタイプパラメータ及びストレージレイテンシパラメータからなる群から選択される、
請求項１７に記載の装置。
【請求項１９】
前記ＱｏＳは、前記集中型ストレージ及びネットワークコントローラを介してストレージによってサービスを受けるアプリケーション及びコンテナの少なくとも一方がホストコンピュータから別のコンピュータに移動する際に自動的に維持される、
請求項１７に記載の装置。
【請求項２０】
前記ＱｏＳは、前記集中型ストレージ及びネットワークコントローラを介してアプリケーション及びコンテナの少なくとも一方にサービスを提供する少なくとも１つのターゲットストレージ装置が第１の位置から少なくとも１つの第２の位置に移動する際に自動的に維持される、
請求項１７に記載の装置。
【請求項２１】
圧縮、保護レベル、ＲＡＩＤレベル、ストレージ媒体タイプ、グローバル重複排除、並びに目標復旧時点（ＲＰＯ）及び目標復旧時間（ＲＴＯ）の少なくとも１つを達成するためのスナップショット間隔からなる群から選択された１又は２以上のストレージ機能を提供する前記装置の機能コンポーネントを更に含む、
請求項１７に記載の装置。
【請求項２２】
前記物理的ターゲットストレージ媒体コントローラによって制御されるデータのための前記物理的ネットワークインターフェイスコントローラのネットワークポートを介して受信されるブロックレベルの要求は、前記装置をホストするコンピュータシステムのＣＰＵ上で実行されるオペレーティングシステムによる介入、ハイパーバイザによる介入、又はその他のソフトウェアによる介入を伴わずに実行される、
請求項１７に記載の装置。
【請求項２３】
データへのアクセスの前記要求が、第２の装置をホストする遠隔コンピュータシステムから生じる、請求項２２に記載の装置。
【請求項２４】
集中型ストレージ及びネットワークシステムであって、
物理的ターゲットストレージ媒体コントローラと、
物理的ネットワークインターフェイスコントローラと、
前記物理的ストレージ媒体コントローラと前記物理的ネットワークコントローラとの間の直接接続と、
を備え、前記直接接続は、前記物理的ターゲットストレージ媒体コントローラによって制御されるブロックデータのための要求の直接通信を提供し、前記要求は、前記物理的ネットワークインターフェイスコントローラのネットワークポートを介して受信され、前記要求されたブロックデータの直接通信を提供する、
ことを特徴とするシステム。
【請求項２５】
前記システムによって処理される前記ストレージトラフィック及び前記ネットワークトラフィックの少なくとも一方に基づいて、前記ストレージ及びネットワーキングコントローラが展開されたデータ経路を有するネットワークに関連する少なくとも１つのサービス品質（ＱｏＳ）パラメータを維持するようにされた、
請求項２４に記載のシステム。
【請求項２６】
前記ＱｏＳパラメータは、帯域幅パラメータ、ネットワークレイテンシパラメータ、ＩＯ性能パラメータ、スループットパラメータ、ストレージタイプパラメータ及びストレージレイテンシパラメータからなる群から選択される、
請求項２５に記載のシステム。
【請求項２７】
前記ＱｏＳは、前記システムを介してストレージによってサービスを受けるアプリケーション及びコンテナの少なくとも一方がホストコンピュータから別のコンピュータに移動する際に自動的に維持される、
請求項２５に記載のシステム。